(57)【要約】【課題】  本発明は、サイホン式排水システムにおいて、一つの排水桝に、複数の小径器具排水管を接続でき、更に保守も容易で製造コストも安い排水アダプタを提供することを可能にすることを目的としている。【解決手段】  排水管用の継手であり、一端部は、呼び径が１２５mm以下のJIS-K6741で定める硬質塩化ビニル管と同じ外径を有すると共に、内部に複数の排水出口６ｄを備え、他端部の複数の排水入口は、前記排水出口と一対一対応をなし、かつ前記排水入口の形状は、器具排水管の形状または器具排水管用接合部の形状であることを特徴とする。【選択図】      図２
2005194727.tif 000002
【特許請求の範囲】
【請求項１】
排水管用の継手であり、
一端部は、呼び径が１２５mm以下のJIS-K6741で定める硬質塩化ビニル管と同じ外径を有すると共に、内部に複数の排水出口を備え、
他端部の複数の排水入口は、前記排水出口と一対一対応をなし、
かつ前記排水入口の形状は、器具排水管の形状または器具排水管用接合部の形状であることを特徴とする排水アダプタ。
【請求項２】
前記排水出口と前記排水入口とのうち一対を、通気用途として用いることを特徴とする請求項１に記載の排水アダプタ。
【請求項３】
前記一端部側から眺めたとき、前記排水出口が正円の上側に寄ったことを特徴とする請求項１に記載の排水アダプタ。
【請求項４】
前記一端部の正円がなす平面に対して直角以外であり、かつ全ての排水が同方向となるよう、前記排水出口に排水ガイドを設けたことを特徴とする請求項１に記載の排水アダプタ。
【請求項５】
前記複数の排水入口相互の離間間隔を、少なくとも前記排水入口の径以上の間隔で配列したことを特徴とする請求項１に記載の排水アダプタ。
【請求項６】
前記排水入口を、前記一端部の正円がなす平面に対して９０度以内の角度を持つ方向に向けたことを特徴とする請求項１に記載の排水アダプタ。
【請求項７】
前記排水出口と前記排水入口との間の管路の少なくとも一部を可撓性を有する管としたことを特徴とする請求項１に記載の排水アダプタ。
【請求項８】
前記排水出口に嵌合して閉鎖し得る排水栓を有することを特徴とする請求項１に記載の排水アダプタ。
【請求項９】
前記請求項２から８の一部、あるいは全部を備えたことを特徴とする請求項１に記載の排水アダプタ。
【発明の詳細な説明】
【技術分野】
【０００１】
本発明は、サイホン式排水システムに用いられる排水用の継手を構成する排水アダプタに関するものである。
【背景技術】
【０００２】
一般的な住宅の排水システムにおいて、流し台や便器、ユニットバス、洗面器等の排水器具より排出された排水は、それぞれの排水器具に接続された器具排水管を経由して建物周囲の地中まで運ばれ、建物周囲に埋設配置された排水桝を介して、敷地排水管に流入する。そして場合によっては浄化槽を経由し、最終的に公共下水道など、敷地外へ排出される。
【０００３】
尚、ここで器具排水管とは、排水器具のトラップから他の排水管に合流するまでの管を言う。
【０００４】
前述の排水桝は、排水管のメンテナンスを目的としており、特殊な形状の排水桝を除けば、１つの排水桝に、１本の器具排水管が接続される構造となっている。従って、維持管理の面からは、排水器具１つに排水桝１つが対応し、その数は同数であることが望ましい。
【０００５】
しかし、実際には、屋内における器具排水管や屋外における排水桝が占めるスペースを小さくしたいこと、コストを低く抑えたいこと等の理由から、メンテナンス機能のない合流継手により器具排水管の合流が行われることが少なくない。例えば、集合住宅では、１住戸あたり３〜５個の排水器具があるため、合流しなければおびただしい数の排水桝が、建物周囲に配置されることになる。また、戸建て住宅でも例えば洗面化粧台の排水と、近傍の洗濯機の排水を屋内で合流し、１本の屋内排水管として排水桝に接続するなど、近接する排水器具の排水を合流継手で合流することが多い。即ち、保守容易性よりも、排水桝の削減を優先しているのが現状である。
【０００６】
上記の問題点を解決するために、近年、特開２００２−２７６０１８号公報（特許文献１）に代表される技術が提案されている。これは、通称排水ヘッダーと呼ばれ、複数の器具排水管の排水を一つにまとめる機能と、内部を清掃・点検できる機能を備えている。よって、排水ヘッダーを排水器具が集中するサニタリーゾーンの床下に設置し、器具排水管を夫々排水ヘッダーに接続すれば、メンテナンス機能を損なうことなく合流することが可能で、かつ敷地の排水桝の数を削減することができる。
【０００７】
一方、特開平６−４２０１９号公報（特許文献２）のように、サイホンの原理を利用し、排水管内部を略満水状態として流下させることで、後続排水を吸引搬送するサイホン式排水システムが知られている。この排水システムは、基本的に排水器具の排水口から、サイホン作用を発揮する略鉛直管の下方までは合流はできない。合流すれば、排水していない方の排水器具から空気を吸引してしまうため、サイホン作用を継続させることができないからである。だが、器具排水管を１５mm〜２５mmと従来より小径にできるうえ、排水勾配にも融通性がある。従って、配管経路が自由に選べ、合流による配管本数の削減がなくとも、屋内においては従来の排水方式以上に設計・施工が簡便となる。
【０００８】
しかし、サイホン式排水システムの器具排水管を、排水立て管に接続する場合は、特開２０００−２９７４４７号公報（特許文献３）のような手段があるものの、立て管を介さずに敷地排水管に接続する場合には、適切な提案がなされていなかった。因みに、現在公開されている手段を用いれば、次のような問題が発生する。
【０００９】
先ず、合流せずに夫々の器具排水管を排水桝に接続すれば、排水器具と同数の排水桝が敷地に配置されることになる。この場合、前述の従来の排水システムと同様の問題点があるばかりでなく、器具排水管一つ一つに径違い継手を取り付ける手間とコストも発生する。なぜなら、現在市販されている排水桝は、接続できる管の呼び径が１２５mm、１００mm、７５mm、５０mmの何れかで、そのままではサイホン式排水システムで利用される小径管（呼び径１５mm〜２５mm）を排水桝に接続できないからである。
【００１０】
サイホン式排水システムにおいては、器具排水管のサイホン作用を発揮する略鉛直管の下流ならば、器具排水管同士を合流しても排水性能上の問題はない。しかし、この合流にメンテナンス機能のない合流継手を用いれば排水桝の数は減らせるが、従来の排水システム同様、保守容易性が低下する。また、サイホン式排水システムは、夫々の器具排水管は略満流で流れることを前提としており、合流後の管径は必然的に器具排水管よりも太くなるため、器具排水管を接続するには、夫々の器具排水管ごとに径違い継手が必要となり、施工が煩雑となってしまう。
【００１１】
排水ヘッダーには、特開２００２−１０６０１１号公報（特許文献４）のように、小径の器具排水管を接続対象とし、径違い継手を不要にしたものもある。しかしながら、排水ヘッダーはその構造が複雑なため製造コストが高く、更に排水ヘッダーを用いて合流しても、最終的に敷地排水管に接続する部分には、やはり排水桝が必要になるという問題があった。
【００１２】
【特許文献１】特開２００２−２７６０１８号公報
【特許文献２】特開平６−４２０１９号公報
【特許文献３】特開２０００−２９７４４７号公報
【特許文献４】特開２００２−１０６０１１号公報
【発明の開示】
【発明が解決しようとする課題】
【００１３】
本発明は前記課題を解決するものであり、その目的とするところは、サイホン式排水システムにおいて、一つの排水桝に、複数の小径器具排水管を接続でき、更に保守も容易で製造コストも安い排水アダプタを提供せんとするものである。
【課題を解決するための手段】
【００１４】
前記目的を達成するための本発明に係る排水アダプタの第１の構成は、排水管用の継手であり、一端部は、呼び径が１２５mm以下のJIS-K6741で定める硬質塩化ビニル管と同じ外径を有すると共に、内部に複数の排水出口を備え、他端部の複数の排水入口は、前記排水出口と一対一対応をなし、かつ前記排水入口の形状は、器具排水管の形状または器具排水管用接合部の形状であることを特徴とする。
【００１５】
一端部の外径が１２５mm以下とは、呼び径が１２５mm、１００mm、７５mm、５０mm等である。また、排水入口の形状が、器具排水管の形状または器具排水管用接合部の形状であるとは、排水入口自体が器具排水管や器具排水管用継手の接合部と同等な構造であることを意味する。
【００１６】
本発明にかかる排水アダプタは、上述の如く構成したので、排水管として多用される呼び径が１２５mm、１００mm、７５mm、５０mmのJIS-K6741で定める硬質塩化ビニル管と全く同じように、排水桝へ嵌合接着させることができる。そして、異物が滞り易い合流部は、排水桝の内部となるため、排水桝の点検口からその除去がきわめて容易である。また、前記排水出口は、前記排水入口に接続された器具排水管と一対一対応であり、前記排水出口は、前記排水桝の点検口から手の届く位置となるので、ワイヤー式清掃具を目的の器具排水管に挿入することも簡単である。本排水アダプタの排水出口から、排水器具の排水口までは、分岐・合流がないので、ワイヤー式清掃具の挿入により、当該管路全てを清掃できる。尚、本排水アダプタを排水桝に直接接続するのではなく、保守に支障が無い長さの短管を介して排水桝に接続しても良い。
【００１７】
本発明に係る排水アダプタの第２の構成は、前記排水出口と前記排水入口とのうち一対を、通気用途として用いることを特徴とする。
【００１８】
上記構成によれば、排水器具から器具排水管へ排水が流れ込む際に、管内の空気を、排水桝を経由して通気用途とされた管から大気へ逃がすことができるので、排水が円滑に開始される。また、排水に混じって排水桝へ運ばれた空気も同様に大気へ逃がすことができるので、排水桝の内部がほぼ大気圧に保たれ、他の排水器具の封水を逆流させる恐れもない。
【００１９】
本発明に係る排水アダプタの第３の構成は、前記一端部側から眺めたとき、前記排水出口が正円の上側に寄ったことを特徴とする。
【００２０】
上記構成によれば、排水アダプタを排水桝へ嵌合接着させるときに、前記排水出口を、上方に位置させることができる。これによって、排水桝内の水位が上昇しても、排水出口へ逆流することがない。また、排水出口から出てくる排水の流れを阻害しないので、良好な排水性能が維持される。
【００２１】
本発明に係る排水アダプタの第４の構成は、前記一端部の正円がなす平面に対して直角以外であり、かつ全ての排水が同方向となるよう、前記排水出口に排水ガイドを設けたことを特徴とする。
【００２２】
上記構成によれば、内部で鉛直に排水が落ちるドロップ桝に嵌合接着するときに、排水アダプタから流れ出す全ての排水の進行方向を右方向、あるいは左方向に誘導することができる。排水が鉛直管路を流入落下するとき、周辺の空気も排水に引かれて下方へ移動するため、垂直管路の上方は負圧、下方は正圧になり、破封や封水の吹き出しなど様々なトラブルの原因になることが知られているが、上記構成によって、排水はドロップ桝の内壁に沿って旋回しながら落下するので、多数の排水出口から同時に放出されたとしても、ドロップ桝内の上方と下方の空気が連結され、桝内の圧力変動を緩和することができる。
【００２３】
本発明に係る排水アダプタの第５の構成は、前記複数の排水入口相互の離間間隔を、少なくとも前記排水入口の径以上の間隔で配列したことを特徴とする。
【００２４】
上記構成によれば、多数の器具排水管が集合しても接続作業に支障がない。
【００２５】
本発明に係る排水アダプタの第６の構成は、前記排水入口を、前記一端部の正円がなす平面に対して９０度以内の角度を持つ方向に向けたことを特徴とする。
【００２６】
上記構成によれば、排水アダプタから多少離れた位置の器具排水管も無理なく接続することができる。
【００２７】
本発明に係る排水アダプタの第７の構成は、前記排水出口と前記排水入口との間の管路の少なくとも一部を可撓性を有する管としたことを特徴とする。
【００２８】
上記構成によれば、排水入口を自由に器具排水管の方向へ向けることができ、接続作業が容易になる。
【００２９】
本発明に係る排水アダプタの第８の構成は、前記排水出口を閉鎖し得る排水栓を有することを特徴とする。
【００３０】
上記構成によれば、使用しない排水出口を簡単に塞いで、排水に含まれる異物が使用しない排水出口に侵入するのを防ぐ。更に、排水管路内へ、土砂や小動物が侵入することを防ぐ。
【００３１】
本発明に係る排水アダプタの第９の構成は、前記請求項２から８の一部、あるいは全部を備えたことを特徴とする。
【００３２】
上記構成によれば、排水アダプタを必要に応じ、自在に構成することができる。
【発明の効果】
【００３３】
サイホン式排水システムにおいて、本発明にかかる排水アダプタは、単純な構成で製造コストが安い上、上述の如き作用を有するので、排水ヘッダーに較べて広く普及し価格も安い排水桝に複数の小径器具排水管を、保守容易性や排水性能を損わずに接続することができる。よって省コスト、省スペースが達成される。
【発明を実施するための最良の形態】
【００３４】
図により本発明に係る排水アダプタの一実施形態を具体的に説明する。
【００３５】
図１は本発明に係る第１の構成の排水アダプタを利用した集合住宅の宅内排水管路の一部を示す斜視図で、１は敷地排水管、２は排水桝、５は排水桝２に設けられた排水管受け口である。排水管受け口５には、図３の本発明に係る排水アダプタ６が、図２に示す如く嵌合により接続され、これに図示しない各種排水器具（軒樋や雨水排水溝等、雨水を排水する設備を含む）に接続された小径の器具排水管７が複数接続される。
【００３６】
本構成によって、詰まり易い器具排水の合流部は排水桝２の内部となり、排水桝２の点検口２ａの蓋を外せば容易に清掃が可能である。また、排水桝２の点検口２ａから手を伸ばせば排水アダプタ６のそれぞれの排水出口６ｄにワイヤー式清掃具の先端を挿入することもできるので、器具排水管７を清掃する場合にも支障がない。従って、良好な保守機能を維持したまま、少数の排水桝２で多くの器具排水管７を敷地排水管１に合流させることが可能となる。
【００３７】
尚、排水アダプタ６は図１の中央で示すように、清掃に支障がない程度の短管４を介して排水桝２に接続されていても、以上に述べた機能は損なわれることはない。
【００３８】
ここで、各部品の接合方法について説明する。排水アダプタ６の円柱部６ａは、排水桝２に設けられた排水管受け口５に嵌合し得る径を有して構成されるため、排水管として多用される呼び径が１２５mm、１００mm、７５mm、５０mmのJIS-K6741で定める硬質塩化ビニル管と全く同じように、排水桝２へ嵌合接着させることができる。
【００３９】
また、器具排水管用接合部形状の排水入口６ｃは、器具排水管７として使用された管材に最適な接合部となっている。例えば、器具排水管７がJIS-K6741で定める硬質塩化ビニル管ならば、器具排水管用接合部形状の排水入口６ｃは、JIS-K6739で定める接合部（いわゆるDV継手）、またはJIS-K6743で定める接合部（いわゆるTS継手）、または塩化ビニル・継手協会規格AS38で定める接合部（いわゆるＶＵ継手）である。あるいは、器具排水管７がJIS-K6769で定める架橋ポリエチレン管ならば、器具排水管用接合部形状の排水入口６ｃは、JIS-K6769で定めるメカニカル式継手、または電気融着式継手である。
【００４０】
さらに、排水アダプタ６の排水入口の形状は、図４のごとく、小径の器具排水管の形状であっても良い。この場合には、器具排水管形状の排水入口６ｂに対応する継手15を直接接続することができるので、器具排水管７の向きを排水アダプタ６の直近で変更したり、器具排水管形状の排水入口６ｂの長さを、継手15の接続に支障ない範囲で適宜切り詰めて、継手15の位置を調整する場合に好適である。
【００４１】
尚、以降の実施例では、排水アダプタ６の排水入口を器具排水管用接合部形状の排水入口６ｃとして説明するが、この部分が上述の器具排水管形状の排水入口６ｂであっても良いことは言うまでもない。
【００４２】
図２及び図３において、５ａは排水管受け口５の内壁面、５ｂは該内壁面５ａ内に嵌入される排水アダプタ６の円柱部６ａの嵌入位置を規制するストッパ、6c1は器具排水管用接合部形状の排水入口６ｃの内壁面、6c2は該内壁面6c1内に嵌入される器具排水管７の嵌入位置を規制するストッパである。
【００４３】
図５は、本発明にかかる排水アダプタの第２の構成の実施例で、複数の排水出口６ｄと排水入口となる器具排水管用接合部形状の排水入口６ｃの対のうち、一対が通気管12に接続され、他の対が排水器具13の器具排水管７に接続されている。このような構成により、管路の通気性が不十分な状態であっても、排水器具13からの排水の円滑な流下が保証される。
【００４４】
管路の通気性が不十分な状態とは、例えば、器具排水管７の上流側が器具トラップ７ａで通気性を失っている状態に加え、何らかの理由で排水桝２の下流の敷地排水管１も満水となっているなど、排水管路に存在する空気が容易に移動できない状態を指す。
【００４５】
管路の通気性が不十分な状態は、排水障害の原因となり、好ましくはないが、一般的な住宅の排水システムでは、管径が十分に太いため、排水器具13から流入する排水８と、前述の管路内の空気14が置換する余地があり、排水騒音や排水時間がかかることはあっても排水できなくなることは少ない。
【００４６】
一方、本発明が適用されるサイホン式排水システムは、排水８と空気14の置換が困難な小径管を使用し、小径管内の空気14は排水８に押されて下流方向へ移動することで排水が開始される。従って、管路の通気性が不十分な状態では、逃げ場のない空気14が小径管である器具排水管７に留まり続けるため、排水８が器具排水管７に進入することができず、殆ど排水できない事態が発生する。
【００４７】
しかし、本発明にかかる排水アダプタの第２の構成によれば、排水器具13から器具排水管７へ排水８が流れ込む際に、器具排水管７内の空気14を、排水桝２を経由して通気管12から大気へ逃がすことができるので、排水を円滑に開始させることができる。さらに、排水８に混じって排水桝２へ運ばれた空気14も同様に通気管12から大気へ逃がすことができるので、排水桝２の内部がほぼ大気圧に保たれ、他の排水器具の封水を逆流させる恐れがない。
【００４８】
また、本発明にかかる排水アダプタの第２の構成は、サイホン式排水システムで雨水を排水し、これを雑排水と合流させる場合も有効である。これを図６で説明する。
【００４９】
雨水と雑排水の合流部では、樋などの雨水排水管を経由して屋上やベランダに雑排水の悪臭が放散されないよう、水封トラップ18が設けられる。よって排水桝２は、その水封トラップ18の１次側において通気が不十分な状態となる。
【００５０】
即ち、サイホン式排水システムを雨水排水に適用した場合は、軒樋13ａや雨水排水溝等が排水器具となるが、降雨時には、全ての器具排水管７から雨水とともに大量の空気14が水封トラップ18の１次側へ運ばれる。この空気14は水封トラップ18を潜って下流側へ移動することができないため、トラップ１次側の管内圧力を高め、器具排水管７を雨水が流下する際の障害となり得る。だが、本発明にかかる排水アダプタの第２の構成によって通気管12より空気14を大気へ逃がせば、この問題は解決される。
【００５１】
図７は、本発明にかかる排水アダプタの第３の構成の実施例である。これにより排水桝２の内部で排水８の水面８ａの水位が上昇した場合でも、排水出口６ｄへ排水８が逆流することがなく、衛生的である。また、排水出口６ｄが塞がれることがないので、器具排水管７からの排水８が円滑に排水桝２内へ排水される。
【００５２】
図８（ａ），（ｂ）は、本発明にかかる排水アダプタの第４の構成の実施例である。排水８を真下に導くドロップ桝17内に流入する全ての排水８は、排水出口６ｄの先端部に設けられ円弧面を有した排水ガイド16によって、ドロップ桝17の内壁に沿って左旋回しながら流下する。排水８がそのまま落下する場合と違い、ドロップ桝17の中央付近には空気路14ａが確保されるので、上下間の圧力差が小さくなり、圧力変動に起因する排水障害を回避することができる。
【００５３】
尚、本発明に係る排水アダプタ６は、前述したようなドロップ桝17以外でも合流直後に排水８が鉛直に落下するケースであれば有効であり、例えば、雨水排水をトラップ桝に接続する場合に、該トラップに付属するＤＴ継手等に排水アダプタ６を接続しても良い。
【００５４】
図９は、本発明にかかる排水アダプタの第５の構成の実施例である。本実施例では、排水アダプタ６の排水入口となる器具排水管用接合部形状の排水入口６ｃ相互の間隔が、該器具排水管用接合部形状の排水入口６ｃの外径以上の間隔で横一列に配列されている。これにより、器具排水管用接合部形状の排水入口６ｃと器具排水管７の接続作業が容易になる。
【００５５】
図10（ａ），（ｂ）は、本発明にかかる排水アダプタの第６の構成の実施例で、排水入口となる器具排水管用接合部形状の排水入口６ｃを排水アダプタ６の一端部の正円がなす平面に対して７５度程度の角度を持つ方向に向けている。そして、複数の器具排水管用接合部形状の排水入口６ｃは、湾曲する連通部６ｅによって排水桝２内部で開口する排水出口６ｄと一対一対応をなしている。
【００５６】
このような構成によって、建物から出てきた器具排水管７の位置が、排水桝２の真横ではなく、多少離れた位置であった場合、排水アダプタ６の器具排水管用接合部形状の排水入口６ｃをその方向に向けることにより、器具排水管７を、無理な屈曲をさせることなく接続させることができる。
【００５７】
図11は、本発明にかかる排水アダプタの第７の構成の実施例で、排水出口６ｄと排水入口である器具排水管用接合部形状の排水入口６ｃとの間を可撓性を有する管としたものである。可撓性を有する管の長さは、器具排水管７の径の１０倍程度であり、このような構成とすることで、どの方向の器具排水管７であっても自在に接続できるだけでなく、器具排水管用接合部形状の排水入口６ｃ相互の距離も可変となったため、接続作業時には器具排水管用接合部形状の排水入口６ｃ相互の距離を大きく取って作業性を向上させ、接続完了後には省スペースとなるよう器具排水管用接合部形状の排水入口６ｃを束ねることもできるようになった。
【００５８】
図12（ａ）〜（ｃ）は、本発明にかかる排水アダプタの第８の構成の実施例で、使用しない排水出口６ｄを塞ぎ、使用する場合には棒状のもので押し出して取り外すことができる排水栓を説明する図である。
【００５９】
図12（ａ）の排水栓９ａは、排水出口６ｄ側から該排水出口６ｄの貫通孔に嵌合して閉鎖し得る排水栓で、使用していない排水出口６ｄからの漏水を防ぐとともに、排水中の汚れが該排水出口６ｄに堆積することを防止する。また、図12（ｂ），（ｃ）の排水栓９ｂは、排水入口となる器具排水管用接合部形状の排水入口６ｃ側から排水出口６ｄに亘って全体を閉鎖し得る形状をなし、排水栓９ａの働きに加え、特に器具排水管用接合部形状の排水入口６ｃへの汚れの付着を防止する。
【産業上の利用可能性】
【００６０】
本発明の活用例として、建築用排水システムにおける排水桝の排水管受け口に取り付けられる排水アダプタに利用することが出来る。
【図面の簡単な説明】
【００６１】
【図１】本発明に係る排水アダプタを利用した宅内排水管路の一部を示す斜視図である。
【図２】排水桝に設けられる排水管受け口と第１の構成の排水アダプタと器具排水管との分解斜視図である。
【図３】第１の構成の排水アダプタと継手、および器具排水管との分解斜視図及び断面図である。
【図４】第１の構成の排水アダプタの他の構成を示す図である。
【図５】第２の構成の排水アダプタと排水器具、通気管および空気の移動経路を説明する図である。
【図６】第２の構成の排水アダプタと排水器具として軒樋を接続した場合の通気管および空気の移動経路を説明する図である。
【図７】本発明に係る第３の構成の排水アダプタの実施例を示す図である。
【図８】本発明に係る第４の構成の排水アダプタの実施例を示す図である。
【図９】本発明に係る第５の構成の排水アダプタの実施例を示す図である。
【図１０】本発明に係る第６の排水アダプタの実施例と、器具排水管との接続関係を示す図である。
【図１１】本発明に係る第７の構成の排水アダプタの実施例を示す図である。
【図１２】本発明に係る第８の構成の排水アダプタの実施例を示す図である。
【符号の説明】
【００６２】
１…敷地排水管
２…排水桝
２ａ…点検口
４…短管
５…排水管受け口
５ａ…内壁面
５ｂ…ストッパ
６…排水アダプタ
６ａ…円柱部
６ｂ…器具排水管形状の排水入口
６ｃ…器具排水管用接合部形状の排水入口
6c1…内壁面
6c2…ストッパ
６ｄ…排水出口
６ｅ…連通部
７…器具排水管
７ａ…器具トラップ
８…排水
８ａ…水面
９ａ，９ｂ…排水栓
12…通気管
13…排水器具
13ａ…軒樋
14…空気
14ａ…空気路
15…継手
16…排水ガイド
17…ドロップ桝
18…トラップ桝の水封トラップ
【図１】
2005194727.tif 000003
【図２】
2005194727.tif 000004
【図３】
2005194727.tif 000005
【図４】
2005194727.tif 000006
【図５】
2005194727.tif 000007
【図６】
2005194727.tif 000008
【図７】
2005194727.tif 000009
【図８】
2005194727.tif 000010
【図９】
2005194727.tif 000011
【図１０】
2005194727.tif 000012
【図１１】
2005194727.tif 000013
【図１２】
2005194727.tif 000014